(57)【要約】【課題】移動ユニットを呼び出すための方法を提供すること。【解決手段】移動ユニットのモビリティ・インデックスが計算される。モビリティ・インデックスは、移動ユニットとＭＳＣとの最後の対話、移動ユニットのセル・セクタ、及び移動ユニットとＭＳＣの間の最後の対話の時刻を使用して計算される。このシステムは、呼び出すセルの数を、モビリティ・インデックスに基づいて、好ましくは移動ユニットとモバイル・スイッチング・センターとの間の最後の対話からの時間を利用することによって決定する。【選択図】図３
2006101523.tif 000002
【特許請求の範囲】
【請求項１】
移動ユニットを呼び出すための方法であって、
移動ユニットのモビリティ・インデックスを計算する工程と、
呼び出すセルの数を前記モビリティ・インデックスに基づいて決定する工程と
を含む方法。
【請求項２】
移動ユニットを呼び出すための請求項１に記載の方法であって、呼び出すセルの数を決定する前記工程が、前記移動ユニットとモバイル・スイッチング・センターとの間の最後の対話からの時間を利用する工程を含む方法。
【請求項３】
移動ユニットを呼び出すための請求項１に記載の方法であって、モビリティ・インデックスを計算する前記工程が、前記移動ユニットと前記ＭＳＣとの最後の対話を利用する工程を含む方法。
【請求項４】
移動ユニットを呼び出すための請求項１に記載の方法であって、モビリティ・インデックスを計算する前記工程が、前記移動ユニットのセル・セクタを利用する工程を含む方法。
【請求項５】
移動ユニットを呼び出すための請求項１に記載の方法であって、モビリティ・インデックスを計算する前記工程が、前記移動ユニットとＭＳＣの間の最後の対話の時刻を利用する工程を含む方法。
【請求項６】
移動ユニットを呼び出すための請求項１に記載の方法であって、モビリティ・インデックスを計算する前記工程が、ＭＳＣに関係した全てのセルのそれぞれのモビリティ・インデックスを計算する工程を含む方法。
【請求項７】
移動ユニットを呼び出すための請求項１に記載の方法であって、モビリティ・インデックスを計算する前記工程が、ＭＳＣのモビリティ・インデックスを計算する工程を含む方法。
【請求項８】
移動ユニットを呼び出すための請求項１に記載の方法であって、モビリティ・インデックスを計算する前記工程が、前記最後の対話と同じセル及びそれにじかに隣接したセルのモビリティ・インデックスを計算することを含む方法。
【請求項９】
移動ユニットを呼び出すための請求項１に記載の方法であって、モビリティ・インデックスを計算する前記工程が、異なる時刻のモビリティ・インデックスを計算することを含む方法。
【発明の詳細な説明】
【技術分野】
【０００１】
本発明は一般に移動通信システムに関し、詳細には移動通信システム内の移動ユニットを呼び出す（ｐａｇｉｎｇ）方法に関する。
【背景技術】
【０００２】
移動又は無線通信システムでは、移動ユニットが、その無線通信システム内を移動する能力を有する。ある移動ユニットに対する発呼要求を受け取ったとき、無線通信システムは、その呼を完成させるためにその移動ユニットの位置を突き止めなければならない。
【０００３】
移動ユニットは、電源を入れたとき及び呼を発したときに無線通信システムに登録する。通信システムが全ての移動ユニットの位置を常に知っていることが望ましいが、そのためには、新たなセルに移動するたびにそれぞれの移動ユニットが位置の更新を送信する必要がある。通信システムは、発呼要求が受け取ったときにだけその移動ユニットの位置を知っていればよく、また、更新メッセージの数が、通信システム内の呼を処理するために通信システムが必要とする帯域を消費するので、この方法は極めて非効率であろう。
【０００４】
移動ユニットを呼び出すプロセスはＭＳＣ内の多くの資源を消費する。これらの資源には、呼出しチャネルの上の帯域、内部ネットワーク要素のプロセッサ占有、及びそれらの要素間でメッセージを送信するための帯域が含まれる。一般に呼出し信号（ｐａｇｅ）は移動ユニットを含む可能性がある多くのセルに一斉送信されるので、呼出しにはコストがかかる。呼出し信号を受け取るセルが少なすぎる場合には、移動ユニットを見つけられない危険性がある。それぞれの呼出し信号を受け取るセルが多すぎる場合には、資源不足に陥る可能性がある。
【０００５】
現在の無線通信システムでは、移動ユニットに対する発呼要求を受け取ったＭＳＣ（モバイル・スイッチング・センター）が、可能性のあるセルの中でその移動ユニットを呼び出す。呼出しアルゴリズムは一般に、小さなセル群に一斉送信することによって始まり、次いで、最終的に移動ユニットを見つけ出すことを期待して次第により大きな群に一斉送信する。理想的には、非常に少数のセル、おそらくはたった１つのセルからスタートし、次第にその範囲を広げる。残念ながら、移動ユニットへの呼の送達では時間が決定的に重要である。あまりに多くの呼出しを試みる必要がある場合には、移動ユニットが見つけ出される前に、発呼側が通話をあきらめる可能性がある。
【発明の開示】
【発明が解決しようとする課題】
【０００６】
本発明は、無線通信システム内の移動ユニットのモビリティ・インデックス（ｍｏｂｉｌｉｔｙ  ｉｎｄｅｘ）を決定するための方法を提供する。このモビリティ・インデックスを使用して、移動ユニットの位置を突き止めるための効率的な呼出し戦略を決定する。
【０００７】
多くの場合、移動ユニットは移動しておらず静止している。移動ユニットの一般的な加入者は、職場への行き帰りなど１日のある時間を移動に費やすが、職場や又は自宅にいるときなど他の時間は動かない。本発明は、移動ユニットを呼び出す最良の方法を、移動ユニットが特定のセル又は他の対話領域にある可能性に基づいて決定するための方法を利用する。
【０００８】
本発明は、ＭＳＣによって移動ユニットを呼び出すための方法を提供する。ＭＳＣは、ある移動ユニットが、その移動ユニットがＭＳＣと最後に対話したときと同じセル又は同じセル群にある確率を、この最後の対話及びこの対話からの経過時間に関連したモビリティ・インデックスに基づいて計算する。ＭＳＣはしたがって、低い成功確率を有する呼出し戦略を使用して時間を無駄にすることを回避することができる。
【課題を解決するための手段】
【０００９】
モビリティ・インデックスは、移動ユニットとＭＳＣの最後の対話に基づいて計算されることが好ましい。モビリティ・インデックスは全てのセルの全てのセクタに対してそれぞれ計算され、また、ＭＳＣ全体に対して計算されることが好ましい。モビリティ・インデックスはさらに、明確に定義された任意の対話領域に対して計算することができる。ＭＳＣは、同じセル及びそれにじかに隣接したセル内にあることに対するモビリティ・インデックス、同じＭＳＣ下の同じ呼出し領域内にあることに対するモビリティ・インデックス、又は同じＭＳＣ内にあることに対するモビリティ・インデックスを計算することができる。例示的な他の実施形態では、ＭＳＣが、異なる時刻及び異なる加入者に対してモビリティ・インデックスを計算することができる。
【００１０】
モビリティ・インデックスを計算するために、ＭＳＣはその移動ユニットと自体の最後の対話を決定する。ＭＳＣは、この最後の対話について移動ユニットのセル及びセクタを決定する。例示的な一実施形態では、モビリティ・インデックスがセル・セクタの関数である。交通量の多い幹線道路を担当するセル・セクタは高い移動度を暗示し、例えばショッピング・モールを担当するセル・セクタは低い移動度を暗示する。ＭＳＣはこの最後の対話の時刻を決定する。
【００１１】
移動ユニットが新たな呼出し領域に移動したときに行われる位置ベースの登録は高い移動度を暗示する。移動ユニットによって定期的に生成される時間ベースの登録は低い移動度を暗示する。対話の全ての態様：セル、セクタ、対話タイプ、時刻及び移動ユニットのクラスを使用して、モビリティ・インデックスを計算することができる。本発明の例示的な一実施形態は、セル、セクタ及び対話タイプを計算に使用する。
【００１２】
モビリティ・インデックスを決定した後、ＭＳＣは呼出し戦略を決定する。呼出し戦略は、モビリティ・インデックス及び最後の対話からの経過時間の関数である呼出しの成功確率に基づいて決定されることが好ましい。
【００１３】
本発明は、移動ユニットがＭＳＣと交わした最後の対話によって暗示される移動度及びその対話がどのくらい前に行われたのかに基づいて、ＭＳＣがその最初の呼出し戦略を決定することを可能にする。それによって本発明は、ＭＳＣが、静止していると予想される移動ユニットに対して単一セル呼出し信号及び／又は隣接セル呼出し信号を使用することを可能にする。それによって無線通信システムの呼出し負荷がかなり低減される。本発明は、無線サービスが、それぞれの移動ユニットのモビリティ・インデックスに基づく効率的な呼出し戦略によって移動ユニットの位置を突き止める方法であって、それによって最小限でありながら有効な呼出し資源消費で呼を送達することを可能とする方法を提供する。
【発明を実施するための最良の形態】
【００１４】
本発明は、図１乃至１０を参照することによってさらによく理解することができる。図１は、本発明の例示的な一実施形態に基づく無線通信システム１００のセル網１９９を示している。無線通信システム１００はモバイル・スイッチング・センター（ＭＳＣ）（図示せず）及び複数の基地局１１１乃至１１７を含む。各基地局は、セル１０１乃至１０７によって示されたそれぞれのカバレージ・エリア内で信号を送受する。ＭＳＣは、呼の処理、資源の管理、及び無線通信システム１００の他の機能を実行し、基地局１１１乃至１１７を制御し、これらの基地局と通信する。
【００１５】
基地局１１１乃至１１７は、自体のセル内に位置する移動ユニットと通信する。移動ユニットはセルからセルへ移動することができ、その場合、移動ユニットとの通信は、新たなセルに関連した新たな基地局にハンドオフされる。
【００１６】
多くの時間、移動ユニットは移動していないことが分かっている。一般的な移動ユニットが移動しているのは、職場への行き帰りなどわずかな時間であり、自宅や又は職場にいるときなど大部分の時間は動かない。
【００１７】
移動しないことが分かっている移動ユニットに対してセル呼出し信号又は隣接セル呼出し信号だけを使用することによって、呼出しの負荷をかなり低減させることができる。セル１１７に対するセル呼出し信号は、セル１１７の全てのセクタを呼び出し、そのほかは呼び出さない。同様に隣接セル呼出し信号は、セル１１７及びセル１１７とハンドオフ関係にある全てのセル１０１乃至１０６を呼び出す。本明細書で使用される用語「重点呼出し信号（ｆｏｃｕｓｅｄ  ｐａｇｅ）」は、セル呼出し信号と隣接セル呼出し信号とを指す。
【００１８】
図２は、ある移動ユニットが、その移動ユニットに最後にサービスを提供したセルの中にある可能性を示す、本発明の例示的な一実施形態に基づく確率標本２００を示している。
【００１９】
モビリティ・インデックス２０１の信頼度は時間の影響を受ける。例えば、通信システムと対話しているとき、その対話を提供しているセルの領域内に移動ユニットがある確率は１００％に近い。時間が経つにつれて、この最後に対話を提供したセルの領域内にこの移動ユニットがとどまっている確率は低下する。好ましい一実施形態では、時間の経過に伴うこの確率の変化を指数分布としてモデル化することができる。この確率は式１によって示すことができる。
Ｐｐａｇｅａｂｌｅ＝ｅ−ｔ／Ｍ  （式１）
上式で、
Ｐｐａｇｅａｂｌｅは、その対話に関連したセルの中で移動ユニットを呼び出すことができる確率である。
ｔは、移動ユニットとＭＳＣの間の最後の対話からの時間である。
Ｍは、モビリティ・インデックス２０１である。
【００２０】
本発明の例示的な一実施形態によれば、平均減衰時間（ｍｅａｎ  ｄｅｃａｙ  ｔｉｍｅ）を表すモビリティ・インデックスＭ  ２０１を使用して、最後の対話後の任意の時刻ｔにおける呼出しの成功確率を予測する。モビリティ・インデックス２０１は、ＭＳＣ内の呼出し信号応答活動を記録することによって計算されることが好ましい。通信システムは次いで、最初に送信する呼出しメッセージの数を、モビリティ・インデックス２０１に基づいて決定する。選択される呼出しタイプは、所定の成功確率を有する呼出しタイプである。
【００２１】
図７は、図４及び６のアルゴリズムによって使用されるセル移動度データベース（Ｃｅｌｌｕｌａｒ  Ｍｏｂｉｌｉｔｙ  Ｄａｔａｂａｓｅ）７００を示している。本発明の例示的な一実施形態によれば、セル７１１、セクタ７１２及び対話タイプ７１３によってデータに索引が付けられる。セル７１１はその対話に関連したセルを含む。セクタ７１２は、その対話に関連したセルのセクタを含む。対話タイプ７１３は高移動度（Ｈｉｇｈ  Ｍｏｂｉｌｉｔｙ）、低移動度（Ｌｏｗ  Ｍｏｂｉｌｉｔｙ）又はその他（Ｏｔｈｅｒ）を含む。
【００２２】
関連データとして、この表は、モビリティ・インデックス７１４及び打切り（ｃｕｔｏｆｆ）時間７１５を含む。打切り時間７１５は、重点呼出し信号を使用する期限を表す最後の対話からの経過時間を含む。このデータは、セル、セクタ及び対話タイプの各組合せに対して、固有のモビリティ・インデックス及び打切り時間を割り当てることを可能にする。このデータの意図は、移動ユニットがこのデータベース内のレコードと一致した対話を完了したときに、その移動ユニットに、対応するモビリティ・インデックス及び打切り時間を割り当てることである。行７０１乃至７０３はこのデータベース内の標本レコードを表す。
【００２３】
本発明の例示的な一実施形態は、モデル化技法を利用し、図９のセル統計量データベース（Ｃｅｌｌｕｌａｒ  Ｓｔａｔｉｓｔｉｃｓ  Ｄａｔａｂａｓｅ）を使用して表７のセル移動度データベースを生成する。時間連続体は複数のバケット（ｂｕｃｋｅｔ）に分割される。例示的な一実施形態ではそれぞれのバケットが６０秒を表す。バケットごとに、重点呼出し領域から呼出し信号応答が来る確率を記録する。次いでこのデータに指数分布を当てはめる。
【００２４】
時刻ｔから２ｔまでの間の呼出し信号応答を含むバケットに対して、
【数１】
2006101523.tif 000003
そのバケット内の標本の平均時間
、
ＰＢｕｃｋｅｔ  呼出し信号応答がその標的領域内から来る確率
とした場合、以下のことを示すことができる。
モビリティ・インデックス２０１を以下のように計算することができる。
【数２】
2006101523.tif 000004
モビリティ・インデックスＭ  ２０１は下式を使用して計算することができる。
【数３】
2006101523.tif 000005
【数４】
2006101523.tif 000006
モビリティ・インデックスＭ  ２０１を使用して、任意の確率ＰＣｕｔｏｆｆに対する打切り時間ｔＣｕｔｏｆｆを下式のように計算する。
ｔＣｕｔｏｆｆ＝−Ｍ  ｌｎ（ＰＣｕｔｏｆｆ）
【００２５】
モビリティ・インデックス２０１が２０分であり、ＰＣｕｔｏｆｆ９５％を選択したとする。すなわち、移動ユニットがその標的領域内にある可能性が９５％であるときがいつなのかを知りたいとする。ｔＣｕｔｏｆｆは以下のように計算される。
ｔＣｕｔｏｆｆ＝−Ｍ  ｌｎ（ＰＣｕｔｏｆｆ）＝−２０  ｌｎ（．９５）＝１．０３分
【００２６】
呼処理は、値ｔＣｕｔｏｆｆを使用して、重点呼出し信号を使用すべきか否かを判断することができる。重点呼出し信号は、所定の数の基地局に対して送られる呼出し信号である。ｔＣｕｔｏｆｆは低優先順位プロセスとして定期的に再計算すべきである。
モビリティ・インデックスは１回の呼出し信号応答からのデータだけを使用して計算することもできるが、より多くの標本を利用することが好ましい。本発明の例示的な一実施形態では、少なくとも５／（１−ＰＢｕｃｋｅｔ）個の標本を使用してモビリティ・インデックスが計算される。
【００２７】
図３は、ＭＳＣによって移動ユニットを呼び出すための本発明の例示的な一実施形態に基づく方法の流れ図３００を示している。
ＭＳＣは、最後の対話の時刻、対話のタイプ及びその対話に関連した打切り時間を含む移動ユニット呼出しデータベース（Ｍｏｂｉｌｅ  Ｕｎｉｔ  Ｐａｇｉｎｇ  Ｄａｔａｂａｓｅ）内のデータを探索する（３０１）。打切り時間は、移動ユニットとＭＳＣの最後の対話に基づいて計算されることが好ましく、この打切り時間については後の図４で詳細に示される。
【００２８】
例示的な一実施形態では、打切り時間が、全てのセルに対してそれぞれ計算され、またＭＳＣ全体に対して計算される。例示的な他の実施形態では、打切り時間がより大きな対話領域に対して計算される。このアルゴリズムは、所与の確率について、最後の対話と同じセル内にあることに対して打切り時間を計算する。ＭＳＣは、同じセル及びそれにじかに隣接したセル内にあることに対する打切り時間、同じＭＳＣ下の同じ呼出し領域内にあることに対する打切り時間、又は同じＭＳＣ内にあることに対する打切り時間を計算することができる。例示的な他の実施形態では、ＭＳＣが、異なる時刻及び異なる加入者に対して打切り時間を計算することができる。
データが存在しない場合（３０２）、ＭＳＣは標準の呼出し手順を使用する（３０７）。
最後の対話からの経過時間が打切り時間よりも長いと工程３０４で判定された場合、ＭＳＣは標準の呼出し手順を使用する（３０７）。
データが存在し、最後の対話からの経過時間が打切り時間よりも短い場合、ＭＳＣは重点呼出し信号を発行する（３０５）。
【００２９】
移動ユニットは、異なるグラニュラリティ（ｇｒａｎｕｌａｒｉｔｙ）レベルに対して異なるモビリティ・インデックスを有することができる。単一セル呼出し信号に対するモビリティ・インデックスは低い成功確率を暗示する可能性があり、セル及びそれに隣接する全てのセルを呼び出すためのモビリティ・インデックスは高い成功確率を暗示する可能性がある。
【００３０】
図８は、移動ユニット呼出しデータベースのデータ・レイアウト８００を示している。データ・レイアウト８００には、移動ユニット識別子８１１による索引が付けられており、データ・レイアウト８００は、関連データとして、最後の対話のセル８１２、セクタ８１３、時刻８１４及びタイプ８１５を含む。重点呼出し信号の発行の打切り時間８１６も関連データとして含まれる。移動ユニット呼出しデータベース内のレコードは、図３の呼出しアルゴリズムによって使用され、図４の移動ユニット・レコード更新アルゴリズムによって生み出される。移動ユニットが非活動化されるか又は他のＭＳＣに登録されたときには、これらのレコードは消去されることが好ましい。
【００３１】
図４は、図３で使用される移動ユニットのモビリティ・インデックスを計算する本発明の例示的な一実施形態に基づく諸工程の流れ図４００を示している。
移動ユニットとＭＳＣの間の対話の最後に、ＭＳＣは対話のタイプ、位置及び時刻を決定する（４０１）。本発明の例示的な一実施形態によれば、移動ユニットとＭＳＣの間の対話は、高移動度対話、低移動度対話又はその両方にとれる対話に分類される。高移動度対話は、２回以上のハンドオフ及び位置ベースのＡＲを有する呼を含み、低移動度対話は、ハンドオフをせず、時間ベースのＡＲを有する呼を含む。両方にとれる対話は、１回のハンドオフ、電源オンＡＲ、及びＳＭＳメッセージ又はＭＷＩメッセージの送達を有する呼を含む。
【００３２】
例示的な一実施形態では、モビリティ・インデックスがセル・セクタの関数である。交通量の多い幹線道路を担当するセル・セクタは高い移動度を暗示する。ショッピング・モールを担当するセル・セクタは低い移動度を暗示する。打切り時間は、モビリティ・インデックス及び希望する重点呼出し信号の成功確率の関数である。
ＭＳＣは次いで、セル移動度データベース内のデータに関連した打切り時間を探索する（４０３）。例示的な一実施形態では、セル／セクタ／対話の各組合せがそれ自体の打切り時間を有する。
ＭＳＣは次いで、その移動ユニットに対する移動ユニット呼出しデータベースのエントリを更新する（４０５）。このデータベースの打切り時間、セル、セクタ及び対話時刻が更新される。
【００３３】
図５は、セル、セクタ及び対話タイプのそれぞれの組合せに対するモビリティ・インデックス及び打切り時間を計算するための統計量を記録するための流れ図５００を示している。統計量は、移動ユニットからの呼出し信号応答をＭＳＣが認識するたびに集められる（５０１）。
呼出し信号応答の後、対話時刻、対話タイプ及び対話セクタ・セルを決定するために、ＭＳＣは、移動ユニット呼出しデータベース内でその移動ユニットを探索する（５０２）。レコードが存在する場合（５０３）、そのデータを使用して、セル統計量データベース内のレコードを探索する（５０４）。
【００３４】
レコードが見つかった場合（５０５）、ＭＳＣは、移動ユニット呼出しデータベースのエントリ及びその時点の時刻を使用して、経過時間したがってその対話に関連したバケットを決定する（５０６）。本発明の例示的な一実施形態によれば、１５個のバケットがあり、それぞれのバケットは１２０秒の経過時間を含む。すなわち、最初のバケットは時刻０から１１９秒までの間のデータ、２番目のバケットは、時刻１２０から２３９秒までの間のデータを含む。以下同様である。
【００３５】
そのバケットが存在する場合（５０７）、ＭＳＣは、バケット応答カウンタを１増分し（５０８）、バケット時間を、対話と呼出し信号応答の間の経過時間の分だけ増やす。呼出し信号応答がその対話の重点呼出し領域内にある場合（５０９）、成功カウンタが１増分される（５１０）。
【００３６】
図９は、セル統計量データベース９００を示している。セル統計量データベース９００には、セル９１１、セクタ９１２及び対話タイプ９１３による索引が付けられており、データベース９００は、一組のバケット９１４〜９１６を関連データとして含む。セル統計量データベース９００は、合理的に予想される全ての対話タイプが重点呼出し信号の成功を予測するＭＳＣの中の全てのセクタ・セルを含むことが好ましい。
【００３７】
図１０は、バケット・データ構造１０００を示している。バケット・データ構造１０００は３つのフィールド、すなわち時間１００２、応答１００３及び成功１００４フィールドを含む。与えられた任意のバケットに対して以下のように定義する。
【数５】
2006101523.tif 000007
ＰＢｕｃｋｅｔ＝バケット成功／バケット応答
【００３８】
図６に、図９のセル統計量データベース内のデータを使用して図７のセル移動度データベースを生成するための流れ図６００を示す。結果として得られるセル移動度データベースはすぐに使用してもよいし、又は将来に使用するために保存してもよい。
【００３９】
十分な数の標本がある場合には、セル統計量データベース内のバケットを使用して、モビリティ・インデックスを計算することができる。本発明の例示的な一実施形態によれば、ＭＳＣによって計算される最低標本数は以下のとおりである。
最低標本数＝５／（１−ＰＣｕｔｏｆｆ）
これらの標本は、関心の確率ＰＣｕｔｏｆｆに近いバケット確率を有するバケットからのものであるべきである。
【００４０】
このセル移動度データベース生成アルゴリズムは定期的に実行されることが好ましい。このアルゴリズムはその全体が反復され、セル統計量データベース内のそれぞれのレコードを探索する（６０２）。存在する（６０３）レコードごとに、このアルゴリズムは、統計学的に妥当なバケットの集合を選択する（６０４）。バケットが統計学的に妥当な場合（６０５）、アルゴリズムはそれらのバケットを合計する（６０６）。すなわちバケット応答、バケット成功及びバケット時間を合計して、総応答、総成功及び総時間を得る。
このアルゴリズムはデータを下式のように計算する（６０７）。
【数６】
2006101523.tif 000008
Ｐ＝総成功／総応答
【数７】
2006101523.tif 000009
ｔＣｕｔｏｆｆ＝−Ｍ  ｌｎ（ＰＣｕｔｏｆｆ）
このアルゴリズムはこのデータを使用してセル移動度データベースを更新する（６０８）。
本発明をそのいくつかの実施例に関して説明したが、本発明は以上の説明に限定されるものではなく、前記請求項に記載された範囲によってのみ限定される。
【図面の簡単な説明】
【００４１】
【図１】本発明の例示的な一実施形態に基づく通信システムのセル網を示す図である。
【図２】ある移動ユニットがその移動ユニットに最後にサービスを提供したセルの中にある可能性を示す、本発明の例示的な一実施形態に基づく確率標本を示す図である。
【図３】図８の移動ユニット呼出しデータベース内のデータを使用してＭＳＣによって移動ユニットを呼び出すための本発明の例示的な一実施形態に基づく方法の流れ図である。
【図４】図８の移動ユニット呼出しデータベースに記憶される図３からの移動ユニットのモビリティ・インデックスを計算する本発明の例示的な一実施形態に基づく工程の流れ図である。
【図５】図９のセル統計量データベースに記憶される呼出し信号応答についての統計データを集めるための本発明の例示的な一実施形態に基づく流れ図である。
【図６】図９のセル統計量データベース内のデータを使用して図７のセル移動度データベースを生み出すための本発明の例示的な一実施形態に基づく流れ図である。
【図７】本発明の例示的な一実施形態に基づくセル移動度データベースを示す図である。
【図８】本発明の例示的な一実施形態に基づく移動ユニット呼出しデータベースを示す図である。
【図９】本発明の例示的な一実施形態に基づくセル統計量データベースを示す図である。
【図１０】本発明の例示的な一実施形態に基づく統計バケットの構造を示す図である。
【図１】
2006101523.tif 000010
【図２】
2006101523.tif 000011
【図３】
2006101523.tif 000012
【図４】
2006101523.tif 000013
【図５】
2006101523.tif 000014
【図６】
2006101523.tif 000015
【図７】
2006101523.tif 000016
【図８】
2006101523.tif 000017
【図９】
2006101523.tif 000018
【図１０】
2006101523.tif 000019